(57)【要約】【課題】第１、第２の可動レンズ群と各可動レンズ群間に虹彩絞り機構とを有する撮像レンズにおいて、各可動レンズ群を支持するガイドシャフトと虹彩絞り機構との位置関係を適切として、小型化、薄型化を図り、各可動レンズ群を安定して支持し、円滑に移動操作できるようにする。【解決手段】各ガイドシャフト１５，１７は、各可動レンズ群１，２の反対側に配置され、第１の可動レンズ群１は、第１のガイドシャフト１５により支持され第２のガイドシャフト１７により回動方向の位置規制をされ、第２の可動レンズ群２は、第２のガイドシャフト１７により支持され第１のガイドシャフト１５により回動方向の位置規制をされる。各スクリューシャフト２２，２５は、各可動レンズ群１，２の反対側に配置され、第１のスクリューシャフト２２が第１のガイドシャフト１５の近くに、第２のスクリューシャフト２５が第２のガイドシャフト１７の近くに配置される。【選択図】図１
2008046281.tif 000002
【特許請求の範囲】
【請求項１】
少なくとも、第１及び第２の可動レンズ群と、これら各可動レンズ群の間に配置される虹彩絞り機構とを有し、これらが光軸上に配設されて構成された撮像レンズであって、
前記第１及び第２の可動レンズ群及び前記虹彩絞り機構を収納する筐体と、
前記筐体に取付けられて、前記光軸に平行に設置され、前記第１の可動レンズ群を支持する第１のガイドシャフトと、
前記第１のガイドシャフトに平行に設置され、第１のモータによって回転操作されて、前記第１の可動レンズ群を光軸方向に移動操作する第１のスクリューシャフトと、
前記筐体に取付けられて、前記光軸に平行に設置され、前記第２の可動レンズ群を支持する第２のガイドシャフトと、
前記第２のガイドシャフトに平行に設置され、第２のモータによって回転操作されて、前記第２の可動レンズ群を光軸方向に移動操作する第２のスクリューシャフトと
を備え、
前記第１及び第２のガイドシャフトは、互いに前記各可動レンズ群の反対側となる位置に配置されており、
前記第１の可動レンズ群は、前記第１のガイドシャフトによって光軸方向に移動可能に支持されるとともに、前記第２のガイドシャフトによって、前記第１のガイドシャフト回りの回動を阻止され、
前記第２の可動レンズ群は、前記第２のガイドシャフトによって光軸方向に移動可能に支持されるとともに、前記第１のガイドシャフトによって、前記第２のガイドシャフト回りの回動を阻止され、
前記第１及び第２のスクリューシャフトは、互いに前記各可動レンズ群の反対側となる位置に配置されるとともに、第１のスクリューシャフトが前記第２のガイドシャフトよりも前記第１のガイドシャフトに近い位置に配置され、第２のスクリューシャフトが前記第１のガイドシャフトよりも前記第２のガイドシャフトに近い位置に配置され、
前記筐体は、前記第１のガイドシャフト及び前記第１のスクリューシャフトが配置される領域を含む一側部と、前記第２のガイドシャフト及び前記第２のスクリューシャフトが配置される領域を含む他側部とが開放されており、これら開放部分が、前記第１のモータを支持する第１のモータ基板及び前記第２のモータを支持する第２のモータ基板によって閉蓋されている
ことを特徴とする撮像レンズ。
【請求項２】
前記虹彩絞り機構は、前記光軸と前記筐体の一側部との間で該光軸に対する接離方向に移動可能となされた一方の絞り羽根及び前記光軸と前記筐体の他側部との間で該光軸に対する接離方向に移動可能となされた他方の絞り羽根からなる一対の絞り羽根と、これら一対の絞り羽根を移動操作する絞りモータとを備えており、
前記絞りモータは、前記筐体の一側部、または、前記筐体の他側部に位置しており、前記第１のガイドシャフト、または、前記第２のガイドシャフトより離間する方向に偏倚している
ことを特徴とする請求項１記載の撮像レンズ。
【請求項３】
少なくとも、第１及び第２の可動レンズ群と、これら各可動レンズ群の間に配置する虹彩絞り機構とを、光軸上に配設して撮像レンズを製造する撮像レンズの製造方法であって、
前記第１及び第２の可動レンズ群及び前記虹彩絞り機構を収納する筐体の開放された一側部に対し、前記第１の可動レンズ群を支持させた第１のガイドシャフトを取付けて、前記第１の可動レンズ群を前記筐体内に挿入するとともに、前記第１のガイドシャフトを前記光軸に平行に設置する工程と、
前記筐体の開放された他側部に対し、前記第２の可動レンズ群を支持させた第２のガイドシャフトを取付けて、前記第２の可動レンズ群を前記筐体内に挿入するとともに、前記第２のガイドシャフトを前記光軸に平行で、かつ、前記第１のガイドシャフトに対して前記各可動レンズ群の反対側となる位置に配置する工程と、
前記第１の可動レンズ群を、前記第２のガイドシャフトに掛合させ、前記第１のガイドシャフト回りの回動を阻止させる工程と、
前記第２の可動レンズ群を、前記第１のガイドシャフトに掛合させ、前記第２のガイドシャフト回りの回動を阻止させる工程と、
前記光軸と前記筐体の一側部との間で該光軸に対する接離方向に移動可能となされる一方の絞り羽根及び前記光軸と前記筐体の他側部との間で該光軸に対する接離方向に移動可能となされる他方の絞り羽根からなる一対の絞り羽根と、これら一対の絞り羽根を移動操作する絞りモータとを有する虹彩絞り機構を、前記筐体の一側部、または、他側部より、前記第１及び第２の可動レンズ群の間に挿入する工程と、
第１のモータによって回転操作されて前記第１の可動レンズ群を光軸方向に移動操作する第１のスクリューシャフトを、前記第１のガイドシャフトに平行で、かつ、前記第２のガイドシャフトよりも前記第１のガイドシャフトに近い位置に設置し、前記第１のモータを支持する第１のモータ基板により、前記筐体の一側部を閉蓋する工程と、
第２のモータによって回転操作されて前記第２の可動レンズ群を光軸方向に移動操作する第２のスクリューシャフトを、前記第２のガイドシャフトに平行で、かつ、前記第１のスクリューシャフトに対して前記各可動レンズ群の反対側となる位置に配置し、前記第２のモータを支持する第２のモータ基板により、前記筐体の他側部を閉蓋する工程と
を有し、
前記虹彩絞り機構を前記第１及び第２の可動レンズ群の間に挿入する工程においては、前記第１、または、第２のガイドシャフトを避けて、該虹彩絞り機構を前記筐体内に途中まで挿入した後に、前記第１、または、第２のガイドシャフト側に寄せつつ、さらに挿入することにより、この虹彩絞り機構を前記光軸上に配設するとともに、前記絞りモータを、前記筐体の一側部、または、前記筐体の他側部において、前記第１、または、第２のガイドシャフトより離間した方向に偏倚した位置とする
ことを特徴とする撮像レンズの製造方法。
【発明の詳細な説明】
【技術分野】
【０００１】
本発明は、ビデオカメラ装置やデジタルカメラ装置等において使用される撮像レンズ及びこのような撮像レンズを製造する撮像レンズの製造方法に関する。
【背景技術】
【０００２】
近年、ビデオカメラ装置やデジタルカメラ装置等においては、装置構成の一層の小型化が要請されており、これらビデオカメラ装置やデジタルカメラ装置等に使用される撮像レンズにおいても、小型化、薄型化が要請されている。
【０００３】
特許文献１には、第１及び第２の可動レンズ群を有し、これら第１及び第２の可動レンズの間に虹彩絞り機構を配置して構成された撮像レンズが記載されている。第１及び第２の可動レンズ群は、それぞれ、光軸方向に移動操作されることによって、焦点調節（フォーカシング）及び焦点距離調節（ズーミング）を行う機能を有している。この撮像レンズは、さらに、第１の可動レンズ群よりも被写体側に配置される前群、第１及び第２の可動レンズ群の間の虹彩絞り機構の近傍に配置される中間群、及び、第２の可動レンズ群よりも撮像素子側に配置される後群の各レンズ群を有して構成される。
【０００４】
これら各レンズ群及び虹彩絞り機構は、矩形状の筐体に収納されて配設されている。そして、第１及び第２の可動レンズ群は、筐体内に取付けられたガイドシャフトにより、この筐体内において、光軸方向に移動可能に支持されている。さらに、第１及び第２の可動レンズ群は、モータにより回転操作されるスクリューシャフトによって、ガイドシャフトに沿って光軸方向に移動操作されるようになっている。
【０００５】
虹彩絞り機構は、光軸を挟んで互いに対向して配置され、それぞれが光軸に対する接離方向に移動可能となされた一対の絞り羽根を有して構成されている。これら一対の絞り羽根は、絞りモータによって移動操作されて、互いの間に形成される透孔部の口径を調整し、撮像レンズの口径比を調整するようになっている。
【０００６】
このような撮像レンズの小型化を図るにあたっては、絞り羽根の可動方向と、ガイドシャフトとの配置関係が問題となる。すなわち、一対の絞り羽根は、各レンズ群を通過する光束径に相当する幅を有するとともに、この幅方向に直交する方向に、各レンズ群を通過する光束径よりも外方側に亘って移動操作される必要がある。そのため、筐体内においては、少なくとも、これら各絞り羽根の可動範囲に相当する空間を確保しなければならない。そして、ガイドシャフトは、各可動レンズ群の可動方向、すなわち、光軸方向に配置されるが、一対の絞り羽根の可動範囲に相当する空間内に進入させて配置することはできない。
【０００７】
すなわち、この撮像レンズの筐体内においては、一対の絞り羽根の可動範囲と、ガイドシャフトとを、互いに干渉しない位置関係として、各レンズ群の口径の外方側に配置しなければならず、これらの占める空間が小型化の限界を画している。さらに、この撮像レンズにおいては、虹彩絞り機構において各絞り羽根を移動操作するための絞りモータや、スクリューシャフトを回転操作するためのモータを筐体内に配置しなければならず、これらも小型化の限界を画する要因となっている。
【０００８】
特許文献１に記載された撮像レンズにおいては、絞りモータをガイドシャフトに対して偏倚した位置に配置することによって、小型化（薄型化）を図らんとしている。
【０００９】
【特許文献１】特開平５−２５７１８８号公報
【発明の開示】
【発明が解決しようとする課題】
【００１０】
ところで、前述の特許文献１に記載された撮像レンズにおいては、小型化のために絞りモータの位置について工夫しているものの、絞り羽根の可動方向と、ガイドシャフトとの配置関係については考慮されていない。すなわち、この撮像レンズにおいて、ガイドシャフトは、各絞り羽根の可動方向の側方となる位置に配置されており、各絞り羽根の可動方向に直交する方向についての薄型化が十分に図られていない。
【００１１】
また、この撮像レンズにおいては、一方の可動レンズ群を支持するために、ガイドシャフトとスクリューシャフト（駆動用シャフト）との２本のシャフトを用いているが、駆動に寄与せずに可動レンズ群を支持するガイドシャフトは、１本のみとなっている。また、他方の可動レンズ群は、この可動レンズ群から一方側に偏った位置において２本のガイドシャフトによって支持されている。そのため、この撮像レンズにおいては、各可動レンズ群を円滑に移動操作し難いものであり、特に他方の可動レンズ群を移動操作するにあたって、光軸の傾きや、振動を生ずる可能性が高い。
【００１２】
そこで、本発明は、前述の実情に鑑みて提案されるものであって、少なくとも第１及び第２の可動レンズ群とこれら各可動レンズ群の間に配置される虹彩絞り機構とを有する撮像レンズにおいて、各可動レンズ群を移動可能に支持するガイドシャフトと虹彩絞り機構の絞り羽根の可動範囲との位置関係を適切に設定することによって、小型化、薄型化が図られるとともに、各可動レンズ群が少なくとも２本のガイドシャフトにより可動レンズ群を挟んだ位置において安定して支持され、円滑に移動操作されることが可能となされ、各可動レンズ群の移動操作に伴う光軸の傾きや振動の発生が防止された撮像レンズを提供することを目的とする。
【００１３】
また、本発明は、このような撮像レンズを容易に製造するための撮像レンズの製造方法を提供することを目的とする。
【課題を解決するための手段】
【００１４】
前述の課題を解決し、前記目的を達成するため、本発明に係る撮像レンズは、以下の構成のいずれか一を有するものである。
【００１５】
〔構成１〕
少なくとも第１及び第２の可動レンズ群とこれら各可動レンズ群の間に配置される虹彩絞り機構とを有しこれらが光軸上に配設されて構成された撮像レンズであって、第１及び第２の可動レンズ群及び虹彩絞り機構を収納する筐体と、この筐体に取付けられて光軸に平行に設置され第１の可動レンズ群を支持する第１のガイドシャフトと、この第１のガイドシャフトに平行に設置され第１のモータによって回転操作されて第１の可動レンズ群を光軸方向に移動操作する第１のスクリューシャフトと、筐体に取付けられて光軸に平行に設置され第２の可動レンズ群を支持する第２のガイドシャフトと、第２のガイドシャフトに平行に設置され第２のモータによって回転操作されて第２の可動レンズ群を光軸方向に移動操作する第２のスクリューシャフトとを備え、第１及び第２のガイドシャフトは、互いに各可動レンズ群の反対側となる位置に配置されており、第１の可動レンズ群は、第１のガイドシャフトによって光軸方向に移動可能に支持されるとともに、第２のガイドシャフトによって、第１のガイドシャフト回りの回動を阻止され、第２の可動レンズ群は、第２のガイドシャフトによって光軸方向に移動可能に支持されるとともに、第１のガイドシャフトによって、第２のガイドシャフト回りの回動を阻止され、第１及び第２のスクリューシャフトは、互いに各可動レンズ群の反対側となる位置に配置されるとともに、第１のスクリューシャフトが第２のガイドシャフトよりも第１のガイドシャフトに近い位置に配置され、第２のスクリューシャフトが第１のガイドシャフトよりも第２のガイドシャフトに近い位置に配置され、筐体は、第１のガイドシャフト及び第１のスクリューシャフトが配置される領域を含む一側部と、第２のガイドシャフト及び第２のスクリューシャフトが配置される領域を含む他側部とが開放されており、これら開放部分が、第１のモータを支持する第１のモータ基板及び第２のモータを支持する第２のモータ基板によって閉蓋されていることを特徴とするものである。
【００１６】
〔構成２〕
構成１を有する撮像レンズにおいて、虹彩絞り機構は、光軸と筐体の一側部との間で該光軸に対する接離方向に移動可能となされた一方の絞り羽根及び光軸と筐体の他側部との間で該光軸に対する接離方向に移動可能となされた他方の絞り羽根からなる一対の絞り羽根と、これら一対の絞り羽根を移動操作する絞りモータとを備えており、絞りモータは、筐体の一側部、または、筐体の他側部に位置しており、第１のガイドシャフト、または、第２のガイドシャフトより離間する方向に偏倚していることを特徴とするものである。
【００１７】
また、本発明に係る撮像レンズの製造方法は、以下の構成を有するものである。
【００１８】
〔構成３〕
少なくとも第１及び第２の可動レンズ群とこれら各可動レンズ群の間に配置する虹彩絞り機構とを光軸上に配設して撮像レンズを製造する撮像レンズの製造方法であって、第１及び第２の可動レンズ群及び虹彩絞り機構を収納する筐体の開放された一側部に対し第１の可動レンズ群を支持させた第１のガイドシャフトを取付けて第１の可動レンズ群を筐体内に挿入するとともに第１のガイドシャフトを光軸に平行に設置する工程と、筐体の開放された他側部に対し第２の可動レンズ群を支持させた第２のガイドシャフトを取付けて第２の可動レンズ群を筐体内に挿入するとともに第２のガイドシャフトを光軸に平行で、かつ、第１のガイドシャフトに対して各可動レンズ群の反対側となる位置に配置する工程と、第１の可動レンズ群を第２のガイドシャフトに掛合させ第１のガイドシャフト回りの回動を阻止させる工程と、第２の可動レンズ群を第１のガイドシャフトに掛合させ第２のガイドシャフト回りの回動を阻止させる工程と、光軸と筐体の一側部との間で該光軸に対する接離方向に移動可能となされる一方の絞り羽根及び光軸と筐体の他側部との間で該光軸に対する接離方向に移動可能となされる他方の絞り羽根からなる一対の絞り羽根とこれら一対の絞り羽根を移動操作する絞りモータとを有する虹彩絞り機構を筐体の一側部、または、他側部より、第１及び第２の可動レンズ群の間に挿入する工程と、第１のモータによって回転操作されて第１の可動レンズ群を光軸方向に移動操作する第１のスクリューシャフトを第１のガイドシャフトに平行で、かつ、第２のガイドシャフトよりも第１のガイドシャフトに近い位置に設置し第１のモータを支持する第１のモータ基板により筐体の一側部を閉蓋する工程と、第２のモータによって回転操作されて第２の可動レンズ群を光軸方向に移動操作する第２のスクリューシャフトを第２のガイドシャフトに平行で、かつ、第１のスクリューシャフトに対して各可動レンズ群の反対側となる位置に配置し第２のモータを支持する第２のモータ基板により筐体の他側部を閉蓋する工程とを有し、虹彩絞り機構を第１及び第２の可動レンズ群の間に挿入する工程においては、第１、または、第２のガイドシャフトを避けて、該虹彩絞り機構を筐体内に途中まで挿入した後に、第１、または、第２のガイドシャフト側に寄せつつ、さらに挿入することにより、この虹彩絞り機構を光軸上に配設するとともに、絞りモータを、筐体の一側部、または、筐体の他側部において、第１、または、第２のガイドシャフトより離間した方向に偏倚した位置とすることを特徴とするものである。
【発明の効果】
【００１９】
本発明に係る撮像レンズにおいては、構成１を有することにより、第１及び第２のガイドシャフトは、互いに各可動レンズ群の反対側となる位置に配置されており、第１の可動レンズ群は、第１のガイドシャフトによって光軸方向に移動可能に支持されるとともに、第２のガイドシャフトによって第１のガイドシャフト回りの回動を阻止され、第２の可動レンズ群は、第２のガイドシャフトによって光軸方向に移動可能に支持されるとともに、第１のガイドシャフトによって第２のガイドシャフト回りの回動を阻止され、また、第１及び第２のスクリューシャフトは、互いに各可動レンズ群の反対側となる位置に配置されるとともに、第１のスクリューシャフトが第２のガイドシャフトよりも第１のガイドシャフトに近い位置に配置され、第２のスクリューシャフトが第１のガイドシャフトよりも第２のガイドシャフトに近い位置に配置されている。
【００２０】
したがって、この撮像レンズにおいては、第１及び第２の可動レンズ群は、いずれも第１及び第２のガイドシャフトによって両側部をガイドされて移動操作されるとともに、第１のスクリューシャフトが第１のガイドシャフトに近く、第２のスクリューシャフトが第２のガイドシャフトに近いため、安定して円滑に移動操作されることができる。
【００２１】
また、この撮像レンズにおいては、第１のスクリューシャフトが第１のガイドシャフトに近く、第２のスクリューシャフトが第２のガイドシャフトに近いため、筐体の薄型化が可能である。
【００２２】
そして、筐体は、第１のガイドシャフト及び第１のスクリューシャフトが配置される領域を含む一側部と、第２のガイドシャフト及び第２のスクリューシャフトが配置される領域を含む他側部とが開放されており、これら開放部分が、第１のモータを支持する第１のモータ基板及び第２のモータを支持する第２のモータ基板によって閉蓋されるので、部品点数が少なく、確実な遮光を行うことができる。
【００２３】
また、本発明に係る撮像レンズにおいては、構成２を有することにより、絞りモータは、筐体の一側部、または、筐体の他側部に位置しており、第１のガイドシャフト、または、第２のガイドシャフトより離間する方向に偏倚しているので、ガイドシャフトとの干渉を避けつつ、筐体の薄型化が可能となっている。
【００２４】
そして、本発明に係る撮像レンズの製造方法においては、構成３を有することにより、虹彩絞り機構を第１及び第２の可動レンズ群の間に挿入する工程において、第１、または、第２のガイドシャフトを避けて、虹彩絞り機構を筐体内に途中まで挿入した後に、第１、または、第２のガイドシャフト側に寄せつつ、さらに挿入することにより、この虹彩絞り機構を光軸上に配設するとともに、絞りモータを、筐体の一側部、または、筐体の他側部において、第１、または、第２のガイドシャフトより離間した方向に偏倚した位置とするので、筐体を薄型化しても、虹彩絞り機構とガイドシャフトとの干渉を避け、かつ、製造を容易化することができる。
【００２５】
すなわち、本発明は、少なくとも第１及び第２の可動レンズ群とこれら各可動レンズ群の間に配置される虹彩絞り機構とを有する撮像レンズにおいて、各可動レンズ群を移動可能に支持するガイドシャフトと虹彩絞り機構の絞り羽根の可動範囲との位置関係を適切に設定することによって、小型化、薄型化が図られるとともに、各可動レンズ群がガイドシャフトによって安定して支持され、円滑に移動操作されることが可能となされ、各可動レンズ群の移動操作に伴う光軸の傾きや振動の発生が防止された撮像レンズを提供することができるものである。
【００２６】
また、本発明は、このような撮像レンズを容易に製造するための撮像レンズの製造方法を提供することができるものである。
【発明を実施するための最良の形態】
【００２７】
〔撮像レンズの実施の形態〕
以下、本発明に係る撮像レンズの最良の実施の形態について詳細に説明する。
【００２８】
図１は、本発明に係る撮像レンズの構成を示す分解斜視図である。
【００２９】
図２は、本発明に係る撮像レンズの構成を示す縦断面図である。
【００３０】
本発明に係る撮像レンズは、図１及び図２に示すように、少なくとも、第１及び第２の可動レンズ群１，２と、これら各可動レンズ群１，２の間に配置される虹彩絞り機構３とを有し、これらが光軸上に配設されて構成された撮像レンズである。
【００３１】
第１及び第２の可動レンズ群１，２は、それぞれ複数のレンズからなり、これらレンズがレンズ枠によって支持されて構成されている。これら第１及び第２の可動レンズ群１，２は、それぞれ、光軸方向に移動されることによって、焦点調節（フォーカシング）及び焦点距離調節（ズーミング）を行う機能を有している。
【００３２】
虹彩絞り機構３は、光軸に対する接離方向に移動可能となされた一方の絞り羽根４と、この一方の絞り羽根４に光軸を介して対向し、光軸に対する接離方向に移動可能となされた他方の絞り羽根５とからなる一対の絞り羽根を有して構成されている。これら絞り羽根４，５は、薄いケース６内に収納され、それぞれ移動可能となされている。また、この虹彩絞り機構３は、一対の絞り羽根４，５を移動操作する絞りモータ７を備えている。一対の絞り羽根４，５は、絞りモータ７によってケース６内において移動操作され、互いの間に形成される透孔部の口径を調整し、撮像レンズの口径比を調整するようになっている。
【００３３】
第１及び第２の可動レンズ群１，２及び虹彩絞り機構３は、筐体８に収納されている。この筐体８は、略矩形状に形成されており、一側部（図１及び図２中の上面部）及び他側部（図１及び図２中の下面部）が開放されている。この筐体８は、射出成型により、合成樹脂材料等により形成されており、金型の精度に応じて、高い形状精度を有して形成されている。なお、この筐体８の内面部は、光の乱反射を防止するために、黒色塗装やシボ加工などの反射防止処理を施すことが望ましい。
【００３４】
また、この筐体８の前面部には、前群（前玉）９が固定されて取付けられており、この前群９を経た光束が通過する開口部１０が形成されている。この前群９は、この撮像レンズを構成するレンズ群のうちで、最も被写体側となるレンズ群である。
【００３５】
そして、筐体８の後面部には、開口部１１が形成され、この開口部１１を通過した光束を撮像する撮像素子１２が取付けられている。さらに、筐体８内には、虹彩絞り機構３の近傍に位置して、この筐体８内を前後に分ける隔壁部１３が設けられている。この隔壁部１３には、開口部が形成され、この開口部を通過する光束が透過する中間群１４が取付けられている。この中間群１４は、各可動レンズ群１，２の間に位置するレンズ群である。
【００３６】
筐体８内の一側（図１及び図２中の上面）側には、第１の可動レンズ群１を支持する第１のガイドシャフト１５が、光軸に平行に設置されて取付けられている。第１のレンズ群１のレンズ枠には、第１のガイドシャフト１５が挿通される支持環部１６が設けられている。第１のレンズ群１は、支持環部１６に第１のガイドシャフト１５を挿通させることによって、この第１のガイドシャフト１５の軸方向に移動可能に支持されている。この第１のガイドシャフト１５は、筐体８内において、両端側を固定されて、位置決めされて配設されている。このとき、筐体８が高い形状精度を有していることにより、第１のガイドシャフト１５の位置も、高精度に位置決めされる。
【００３７】
第１の可動レンズ群１は、第１のガイドシャフト１５に支持された状態で、虹彩絞り機構３の前方側（被写体側）において筐体８に収納されている。
【００３８】
また、筐体８内の他側（図１及び図２中の下面）側には、第２の可動レンズ群２を支持する第２のガイドシャフト１７が、光軸に平行に設置されて取付けられている。第２のレンズ群２のレンズ枠には、第２のガイドシャフト１７が挿通される支持環部１８が設けられている。第２のレンズ群２は、支持環部１８に第２のガイドシャフト１７を挿通させることによって、この第２のガイドシャフト１７の軸方向に移動可能に支持されている。この第２のガイドシャフト１７は、筐体８内において、両端側を固定されて、位置決めされて配設されている。このとき、筐体８が高い形状精度を有していることにより、第２のガイドシャフト１７の位置も、高精度に位置決めされる。
【００３９】
第２の可動レンズ群２は、第２のガイドシャフト１７に支持された状態で、虹彩絞り機構３の後方側（撮像素子側）において筐体８に収納されている。
【００４０】
この撮像レンズにおいては、第１及び第２のガイドシャフト１５，１７は、互いに各可動レンズ群１，２の反対側となる位置に配置されている。そして、第１の可動レンズ群１は、第１のガイドシャフト１５によって光軸方向に移動可能に支持されるとともに、第２のガイドシャフト１７によって、第１のガイドシャフト１５回りの回動を阻止されている。すなわち、第１の可動レンズ群１のレンズ枠には、支持環部１６の反対側に位置して、第２のガイドシャフト１７に掛合する掛合扞１９が設けられている。
【００４１】
また、第２の可動レンズ群２は、第２のガイドシャフト１７によって光軸方向に移動可能に支持されるとともに、第１のガイドシャフト１５によって、第２のガイドシャフト１７回りの回動を阻止されている。第２の可動レンズ群２のレンズ枠には、支持環部１８の反対側に位置して、第１のガイドシャフト１５に掛合する掛合扞２０が設けられている。
【００４２】
この撮像レンズにおいては、各ガイドシャフト１５，１７が各可動レンズ群１，２を介して互いに反対側に配置されているので、各可動レンズ群１，２は、重力の影響を受けても、安定して支持される。
【００４３】
そして、筐体８内の一側（図１及び図２中の上面）側には、第１のガイドシャフト１５に平行に設置され、第１のモータ２１によって回転操作される第１のスクリューシャフト２２が設けられている。第１の可動レンズ群１のレンズ枠には、第１のモータ２１の駆動力を伝達するためのクランパ２３が配置されている。第１の可動レンズ群１は、第１のモータ２１の駆動力を第１のスクリューシャフト２２及びクランパ２３を介して伝達され、光軸方向に移動操作される。
【００４４】
また、筐体８内の他側（図１及び図２中の下面）側には、第２のガイドシャフト１７に平行に設置され、第２のモータ２４によって回転操作される第２のスクリューシャフト２５が設けられている。第２の可動レンズ群２のレンズ枠には、第２のモータ２４の駆動力を伝達するためのクランパ２６が配置されている。第２の可動レンズ群２は、第２のモータ２４の駆動力を第２のスクリューシャフト２５及びクランパ２６を介して伝達され、光軸方向に移動操作される。
【００４５】
なお、これら第１及び第２のスクリューシャフト２２，２５は、それぞれを第１及び第２の可動レンズ群１，２の可動範囲に亘って設ける必要はなく、第１のスクリューシャフト２２が第１の可動レンズ群１の可動範囲に亘って設けられ、第２のスクリューシャフト２５が第２の可動レンズ群２の可動範囲に亘って設けられていればよい。
【００４６】
第１及び第２のスクリューシャフト２２，２５は、互いに各可動レンズ群１，２の光軸を介して反対側となる位置に配置されている。そして、第１のスクリューシャフト２２は、第２のガイドシャフト１７よりも第１のガイドシャフト１５に近い位置に配置されており、第２のスクリューシャフト２５は、第１のガイドシャフト１５よりも第２のガイドシャフト１７に近い位置に配置されている。すなわち、筐体８において、第１のガイドシャフト１５及び第１のスクリューシャフト２２が配置される領域は、開放された一側部（図１及び図２中の上面部）に相当している。また、筐体８において、第２のガイドシャフト１７及び第２のスクリューシャフト２５が配置される領域は、開放された他側部（図１及び図２中の下面部）に相当している。
【００４７】
ところで、虹彩絞り機構３においては、一方の絞り羽根４は、光軸と筐体８の一側部（図１及び図２中の上面部）との間で、光軸に対する接離方向に移動可能となっている。また、他方の絞り羽根５は、光軸と筐体８の他側部（図１及び図２中の下面部）との間で、光軸に対する接離方向に移動可能となっている。したがって、この虹彩絞り機構３は、筐体８の断面形状に応じて、筐体８の一側部から他側部に亘る方向が長辺方向となされた長方形状に構成されている。この虹彩絞り機構３において、絞りモータ７は、筐体８の他側部（または、一側部）に位置しており、第２のガイドシャフト１７（または、第１のガイドシャフト１５）より離間する方向に偏倚して配置されている。
【００４８】
そして、筐体８の開放された一側部及び他側部（図１及び図２中の上面部及び下面部）は、第１のモータ２１を支持する第１のモータ基板２７及び第２のモータ２４を支持する第２のモータ基板２８によって、それぞれ閉蓋されている。これら第１及び第２のモータ基板２７，２８は、筐体８に対して、例えば、ネジ止めによって取付けられている。
【００４９】
また、第１及び第２のモータ基板２７，２８は、合成樹脂材料からなるものに限られず、金属、例えば、板金を加工して形成したものを用いることができる。
【００５０】
なお、筐体８の開放された一側部及び他側部の内方側には、各可動レンズ群１，２の移動操作を妨げない範囲において、遮光壁２９を設けてもよい。また、第１及び第２のモータ基板２７，２８の筐体８の内方に向かう表面部及び第１及び第２のモータ２１，２４の外面部は、光の乱反射を防止するために、黒色塗装やシボ加工などの反射防止処理を施すことが望ましい。
【００５１】
このように構成された本発明に係る撮像レンズにおいては、第１及び第２の可動レンズ群１，２は、いずれも第１及び第２のガイドシャフト１５，１７によって、両側部、特に、可動レンズ群１，２を挟んだ反対側においてガイドされ、また、第１のスクリューシャフト２２が第１のガイドシャフト１５に近く、第２のスクリューシャフト２５が第２のガイドシャフト１７に近いため、安定して円滑に移動操作される。そして、この撮像レンズにおいては、第１のスクリューシャフト２２が第１のガイドシャフト１５に近く、第２のスクリューシャフト２５が第２のガイドシャフト１７に近いことによって、筐体８の薄型化が可能となる。
【００５２】
さらに、この撮像レンズにおいては、絞りモータ７が第２のガイドシャフト１７（または、第１のガイドシャフト１５）より離間する方向に偏倚して配置されているので、虹彩絞り機構３とガイドシャフト１５，１７との干渉が回避され、筐体８の薄型化が可能となっている。
【００５３】
なお、虹彩絞り機構３における各絞り羽根４，５の移動方向を、撮像画面における縦方向とすることにより、これら絞り羽根４，５間に形成される透孔部が横長の開口部となるので、画角内の左右方向の照度差の発生を防止し、また、水平解像度の劣化を防止することができる。
【００５４】
〔撮像レンズの製造方法の実施の形態〕
本発明に係る撮像レンズの製造方法の最良の実施の形態について、以下に説明する。
【００５５】
前述したような本発明に係る撮像レンズを製造するには、まず、筐体８を作製する。この筐体８は、一側部（図１及び図２中の上面部）及び他側部（図１及び図２中の下面部）が開放された略矩形状に、射出成型により、合成樹脂材料等により形成する。この筐体８は、金型の精度に応じて、高い形状精度を有して形成することができる。そして、この筐体８の内面部には、光の乱反射を防止するために、黒色塗装やシボ加工などの反射防止処理を施すことが望ましい。
【００５６】
次に、筐体８に対して、前群（前玉）９及び中間群１４を取付ける。前群９は、筐体８の前面部に形成された開口部１０に合わせて、接着剤、または、熱カシメによって固定する。また、中間群１４は、筐体８の隔壁部１３に形成された開口部に合わせて、接着剤、または、熱カシメによって固定する。
【００５７】
そして、筐体８に対して、この筐体８の後面部の開口部１１に合わせて、撮像素子１２を取付ける。なお、撮像素子１２の取付けは、撮像レンズの製造が完了した後に、最後に行ってもよい。
【００５８】
次に、筐体８の開放された一側部に対し、支持環部１６において第１の可動レンズ群１を支持させた第１のガイドシャフト１５を取付け、第１の可動レンズ群１を筐体８内に挿入するとともに、第１のガイドシャフト１５を光軸に平行として設置する。このとき、第１のガイドシャフト１５は、筐体８内において、両端側を固定して、位置決めして配設する。
【００５９】
次に、筐体８の開放された他側部に対し、支持環部１８において第２の可動レンズ群２を支持させた第２のガイドシャフト１７を取付け、第２の可動レンズ群２を筐体８内に挿入するとともに、第２のガイドシャフト１７を光軸に平行として設置する。このとき、第２のガイドシャフト１７は、筐体８内において、両端側を固定して、位置決めして配設する。このとき、第２のガイドシャフト１７は、第１のガイドシャフト１５に対して、各可動レンズ群１，２の反対側となる位置に配置する。
【００６０】
そして、第１の可動レンズ群１の掛合扞１９を第２のガイドシャフト１７に掛合させ、第１の可動レンズ群１が第１のガイドシャフト１５回りに回動しないようにする。また、第２の可動レンズ群２の掛合扞２０を第１のガイドシャフト１５に掛合させ、第２の可動レンズ群２が第２のガイドシャフト１７回りに回動しないようにする。
【００６１】
次に、虹彩絞り機構３を、筐体８の一側部、または、他側部より、第１及び第２の可動レンズ群１，２の間に挿入する。
【００６２】
図３は、本発明に係る撮像レンズの製造方法において虹彩絞り機構を挿入する工程を示す縦断面図である。
【００６３】
このとき、虹彩絞り機構３は、図３中の（ａ）乃至（ｃ）に示すように、第２のガイドシャフト１７を避けて、筐体８の他側部から筐体８内に途中まで挿入した後に、図３中の（ｄ）乃至（ｅ）に示すように、第２のガイドシャフト１７側に寄せつつ、さらに挿入することによって、この虹彩絞り機構３を光軸上に配設するようにする。そして、虹彩絞り機構３を、筐体８に対して固定する。このとき、絞りモータ７は、筐体８の他側部において、第２のガイドシャフト１７より離間した方向に偏倚した位置に配置する。
【００６４】
なお、虹彩絞り機構３を筐体８の一側部から挿入するようにしてもよく、この場合には、虹彩絞り機構３は、第１のガイドシャフト１５を避けて、筐体８内に途中まで挿入した後に、第１のガイドシャフト１５側に寄せつつ、さらに挿入することによって、この虹彩絞り機構３を光軸上に配設するようにする。
【００６５】
ここで、筐体８内には、この筐体８内に途中まで挿入された虹彩絞り機構３を、第２のガイドシャフト１７側に寄せる方向にガイドするガイド壁３０を設けておくことが望ましい。このガイド壁３０は、虹彩絞り機構３の挿入方向に対して傾斜した側面部を有しており、虹彩絞り機構３が挿入されることに伴って、この虹彩絞り機構３のケース６の先端側の側縁部が当接することにより、この虹彩絞り機構３を、挿入方向に直交する方向にガイドして移動させるものである。
【００６６】
このようなガイド壁３０を設けておくことにより、虹彩絞り機構３を一方向に向けて挿入するだけで、この虹彩絞り機構３の移動方向がガイドされ、筐体８内に途中まで挿入された虹彩絞り機構３が、第２のガイドシャフト１７側に寄せられて所定の位置に到達することとなる。
【００６７】
そして、第１のモータ２１によって回転操作される第１のスクリューシャフト２２を、第１のガイドシャフト１５に平行で、かつ、第２のガイドシャフト１７よりも第１のガイドシャフト１５に近い位置に取付け、第１のモータ２１を支持する第１のモータ基板２７により、筐体８の開放された一側部を閉蓋する。
【００６８】
また、第２のモータ２４によって回転操作される第２のスクリューシャフト２５を、第２のガイドシャフト１７に平行で、かつ、第１のガイドシャフト１５よりも第２のガイドシャフト１７に近い位置に取付け、第２のモータ２４を支持する第２のモータ基板２８により、筐体８の開放された他側部を閉蓋する。
【００６９】
このようにして、第１及び第２のモータ基板２７，２８を筐体８に取付けることにより、撮像レンズが完成する。
【００７０】
なお、この撮像レンズの製造方法においては、第１の可動レンズ群１を支持させた第１のガイドシャフト１５と、第２の可動レンズ群２を支持させた第２のガイドシャフト１７とのいずれもを、筐体８の開放された一側部、または、他側側から、すなわち、同一方向から、筐体８内に挿入して固定するようにしてもよい。この場合には、筐体８の開放された一側部から挿入された第２のガイドシャフト１７が他側側に至ることができるように、あるいは、筐体８の開放された他側部から挿入された第１のガイドシャフト１５が一側側に至ることができるように、筐体８内にガイド溝を形成しておくとよい。
【図面の簡単な説明】
【００７１】
【図１】本発明に係る撮像レンズの構成を示す分解斜視図である。
【図２】本発明に係る撮像レンズの構成を示す縦断面図である。
【図３】本発明に係る撮像レンズの製造方法において虹彩絞り機構を挿入する工程を示す縦断面図である。
【符号の説明】
【００７２】
１  第１の可動レンズ群
２  第２の可動レンズ群
３  虹彩絞り機構
４  一方の絞り羽根
５  他方の絞り羽根
７  絞りモータ
８  筐体
１５  第１のガイドシャフト
１７  第２のガイドシャフト
２１  第１のモータ
２２  第１のスクリューシャフト
２４  第２のモータ
２５  第２のスクリューシャフト
２７  第１のモータ基板
２８  第２のモータ基板
【図１】
2008046281.tif 000003
【図２】
2008046281.tif 000004
【図３】
2008046281.tif 000005